(57)【要約】  【課題】  従来からデジタルテレビ放送を視聴する際に受信状態の悪化が生じた場合には、画像や音声に乱れが生じ、番組の視聴をすることができないという課題がある。  【解決手段】  本発明は、受信状態が所定のレベルに悪化した場合に、番組放送予定情報から、受信状態が悪化した番組の番組識別情報を取得し、番組放送予定情報に含まれる放送予定番組識別情報中に、前記悪化番組識別情報に該当するものがあるか検索するデジタルテレビ放送受信機能付携帯端末を提案するものである。受信状態が悪化したことで現在視聴ができなかったとしても、再放送時に利用者にその番組の放送時刻に関する情報などを通知等することで当該番組を見逃すことのないよう補助することができる。【選択図】            図２
2006013995.tif 000002
【特許請求の範囲】
【請求項１】
デジタルテレビ放送信号を受信するためのチューナ部と、
前記チューナ部での受信状態を取得する受信状態取得部と、
前記チューナ部で受信しているデジタルテレビ放送信号から番組放送予定情報を取得する番組放送予定情報取得部と、
前記受信状態取得部で取得した受信状態が所定のレベルに悪化した場合に、前記番組放送予定情報取得部で取得した番組放送予定情報から、受信状態が悪化した番組の番組識別情報である悪化番組識別情報を取得して保持する悪化番組識別情報保持部と、
前記番組放送予定情報取得部で取得した番組放送予定情報に含まれる放送予定番組識別情報中に、前記悪化番組識別情報に該当するものがあるか検索する検索部と、
を有するデジタルテレビ放送受信機能付携帯端末。
【請求項２】
前記番組放送予定情報取得部で取得する番組放送予定情報は、番組識別情報と関連付けて番組の放送時刻情報を含み、
前記検索部での検索結果が該当するものがあるとの検索結果である場合には、該当する番組識別情報と関連付けてその番組の放送時刻に関する情報を通知するための通知部を有する請求項１に記載のデジタルテレビ放送受信機能付携帯端末。
【請求項３】
前記番組放送予定情報は、番組識別情報と関連付けてその番組を放送するチャンネル識別情報を含み、
前記番組放送予定情報取得部は、利用者がデジタルテレビ放送を視聴していない場合でも、悪化番組識別情報保持部で保持された悪化番組識別情報と関連付けられたチャンネル識別情報で識別されるチャンネルのデジタルテレビ放送信号から間欠的に番組放送予定情報を取得する間欠取得手段を有する請求項１又は２に記載のデジタルテレビ放送受信機能付携帯端末。
【請求項４】
前記間欠取得手段は、前記悪化番組識別情報が複数ある場合には、それぞれに対応した複数のチャンネル識別情報で識別されるチャンネルのデジタルテレビ放送信号から間欠的に前記取得を行う請求項３に記載のデジタルテレビ放送受信機能付携帯端末。
【請求項５】
前記受信状態取得部で取得した受信状態が所定のレベルに悪化しない場合に、前記番組放送予定情報取得部で取得した番組放送予定情報から、受信状態が良好である番組の番組識別情報である良好番組識別情報を取得する良好番組識別情報取得部と、
前記悪化番組識別情報保持部に保持されている悪化番組識別情報中に前記良好番組識別情報取得部が取得した良好番組識別情報に該当するものがあるか検索する第二検索部と、を有し、
前記悪化番組識別情報保持部は、前記第二検索部での検索結果が該当するものがあるとの検索結果である場合に、保持された悪化番組識別情報を消去する消去手段を有する
請求項１から４のいずれか一に記載のデジタルテレビ放送受信機能付携帯端末。
【請求項６】
前記間欠取得手段は、前記検索部での検索対象となった番組放送予定情報に含まれる全ての番組の放送があった後の時刻以降に次の番組放送予定情報を取得する次取得器を有する請求項３に記載のデジタルテレビ放送受信機能付携帯端末。
【請求項７】
デジタルテレビ放送信号を受信するためのデジタルテレビ放送信号受信ステップと、
前記デジタルテレビ放送信号受信ステップでの受信状態を取得する受信状態取得ステップと、
前記デジタルテレビ放送信号受信ステップにて受信しているデジタルテレビ放送信号から番組放送予定情報を取得する番組放送予定情報取得ステップと、
前記受信状態取得ステップにて取得した受信状態が所定のレベルに悪化した場合に、前記番組放送予定情報取得ステップにて取得した番組放送予定情報から、受信状態が悪化した番組の番組識別情報である悪化番組識別情報を取得して保持する悪化番組識別情報保持ステップと、
前記番組放送予定情報取得ステップにて取得した番組放送予定情報に含まれる放送予定番組識別情報中に、前記悪化番組識別情報に該当するものがあるか検索する検索ステップと、
からなるデジタルテレビ放送受信方法。
【請求項８】
デジタルテレビ放送信号を受信するためのデジタルテレビ放送信号受信ステップと、
前記デジタルテレビ放送信号受信ステップでの受信状態を取得する受信状態取得ステップと、
前記デジタルテレビ放送信号受信ステップにて受信しているデジタルテレビ放送信号から番組放送予定情報を取得する番組放送予定情報取得ステップと、
前記受信状態取得ステップにて取得した受信状態のレベルを判断する受信状態判断ステップと、
前記受信状態判断ステップにて、受信状態が所定のレベルに悪化したとの判断結果の場合に、前記番組放送予定情報取得ステップにて取得した番組放送予定情報から、受信状態が悪化した番組の番組識別情報である悪化番組識別情報を取得して保持する悪化番組識別情報保持ステップと、
前記番組放送予定情報取得ステップにて取得した番組放送予定情報に含まれる放送予定番組識別情報中に、前記悪化番組識別情報に該当するものがあるか検索する検索ステップと、
前記受信状態判断ステップにて、受信状態が所定のレベルに悪化しないとの判断結果の場合に、前記番組放送予定情報取得ステップにて取得した番組放送予定情報から、受信状態が良好である番組の番組識別情報である良好番組識別情報を取得する良好番組識別情報取ステップと、
前記悪化番組識別情報保持ステップにて保持された悪化番組識別情報中に前記良好番組識別情報取得ステップにて取得した良好番組識別情報に該当するものがあるか検索する第二検索ステップと、
前記第二検索ステップでの検索結果が該当するものがあるとの検索結果である場合に、保持された悪化番組識別情報を消去する消去ステップと、
からなるデジタルテレビ放送受信方法。
【請求項９】
デジタルテレビ放送信号を受信するためのデジタルテレビ放送信号受信ステップと、
前記デジタルテレビ放送信号受信ステップでの受信状態を取得する受信状態取得ステップと、
前記デジタルテレビ放送信号受信ステップにて受信しているデジタルテレビ放送信号から、番組識別情報と関連付けてその番組を放送するチャンネル識別情報を含む番組放送予定情報を取得する番組放送予定情報取得ステップと、
前記受信状態取得ステップにて取得した受信状態が所定のレベルに悪化した場合に、前記番組放送予定情報取得ステップにて取得した番組放送予定情報から、受信状態が悪化した番組の番組識別情報である悪化番組識別情報を取得して保持する悪化番組識別情報保持ステップと、
前記番組放送予定情報取得ステップにて取得した番組放送予定情報に含まれる放送予定番組識別情報中に、前記悪化番組識別情報に該当するものがあるか検索する検索ステップと、
前記検索ステップでの検索対象となった番組放送予定情報に含まれる全ての番組の放送があった後の時刻以降に次の番組放送予定情報を取得する次取得ステップと、
からなるデジタルテレビ放送受信方法。
【発明の詳細な説明】
【技術分野】
【０００１】
本発明は、デジタルテレビ放送受信機能付携帯端末に関するものである。
【背景技術】
【０００２】
従来からデジタルテレビ放送を視聴する場面において、受信状態の悪化が生じた場合に、好適に放送データの受信処理を行うことを目的とする移動体通信機は存在する（特許文献１参照）。このとき当該移動体通信機は、第一の送信データに対して、この第一の送信データと同一内容で且つ第一の送信データに対して遅延した第二の送信データを受信信号として受信して、第一の送信データが正常に受信されたと判定された場合に第一の送信データを記憶手段に記憶させる一方、第二の送信データが正常に受信されたと判定された場合に第二の送信データを記憶手段に記憶させる。これにより、送信データの一時的な受信状態の悪化が生じても好適にデータの受信処理ができる。
【特許文献１】特開２００２−３６９２５４号公報
【発明の開示】
【発明が解決しようとする課題】
【０００３】
しかしながら、上記手法においては、元のデータの他に、バックアップ用の同一内容のデータを常に準備し、受信状態に応じて書き換えを行うことが必要であり、効率的であるとはいえない。また、断続的、あるいは、長時間にわたる受信状態の悪化には対応することができないという課題がある。
【課題を解決するための手段】
【０００４】
本発明は、かかる実情に鑑み、受信状態が所定のレベルに悪化した場合に、番組放送予定情報から、受信状態が悪化した番組の番組識別情報を取得し、番組放送予定情報に含まれる放送予定番組識別情報中に、前記悪化番組識別情報に該当するものがあるか検索するデジタルテレビ放送受信機能付携帯端末を提案するものである。受信状態が悪化したことで現在視聴ができなかったとしても、再放送時に利用者にその番組の放送時刻に関する情報などを通知等することで当該番組を見逃すことのないよう補助することができる。
【０００５】
また、悪化番組識別情報と関連付けられたチャンネル識別情報で識別されるチャンネルのデジタルテレビ放送信号から番組放送予定情報を取得する処理は、利用者がデジタルテレビ放送を視聴していない場合でも間欠的に行われる。なお、デジタルテレビ放送受信機能付携帯端末は、悪化番組識別情報が複数ある場合には、それぞれに対応した複数のチャンネル識別情報で識別されるチャンネルのデジタルテレビ放送信号から間欠的に番組放送予定情報の取得を行う。また、検索対象となった番組放送予定情報に含まれる全ての番組の放送があった後の時刻以降に次の番組放送予定情報を取得することもできる。さらに、受信状態が所定のレベルに悪化しない場合に、番組放送予定情報から良好番組識別情報を取得し、悪化番組識別情報中に良好番組識別情報に該当するものがある場合に、保持された悪化番組識別情報を消去することもできる。
【発明の効果】
【０００６】
以上、説明したように本件発明のいずれか一又は二以上の発明に係るデジタルテレビ放送受信機能付携帯端末によれば、受信状態が悪化したことで現在視聴ができなかったとしても、再放送時に利用者に告知等することで当該番組を見逃すことのないよう補助することができる。このとき、デジタルテレビ放送受信機能付携帯端末の表示画面等に、番組名やその放送時刻に関する情報を表示して視聴を喚起する場合には、当該番組を見逃す危険性を減らすことが期待できる。また、利用者宅の録画装置などに対して番組に関する情報と録画要求が送信される場合には、自動的に当該番組が録画され、利便性が高い。携帯端末でデジタルテレビ放送の視聴を行う場合には、移動などに伴い、デジタルテレビ放送信号の受信状態が悪化し、番組を視聴することができない場合が頻繁に生じることも想定されるが、後に当該番組を視聴、録画することができるため、利便性が高いといえる。
【０００７】
また、利用者は、デジタルテレビ放送受信機能付携帯端末の電源を切っているときであっても、デジタルテレビ放送信号から番組放送予定情報を取得することができるため、消費電流を最小限に抑えつつ、視聴できなかった番組を検索することが実現できる。充電池などで起動する携帯型の端末装置では、電流の消費が抑えられるため有益である。さらに、悪化番組識別情報中に、良好番組識別情報と合致する番組識別情報がある場合には、その番組は受信状態が良好なときに視聴を完了した、あるいは、部分的に視聴を行い、もう視聴する必要がないという状態を表すものと考えることができる。したがって、不要な悪化番組識別情報を消去することで、有限な記憶装置を有効に使いつつ、より迅速な検索処理を可能とする。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１、７などについて説明する。  実施形態２は、主に請求項２などについて説明する。  実施形態３は、主に請求項３などについて説明する。  実施形態４は、主に請求項４などについて説明する。  実施形態５は、主に請求項５、８などについて説明する。  実施形態６は、主に請求項６、９などについて説明する。
【００１０】
<<実施形態１>>
【００１１】
<実施形態１：概要>  実施形態１について説明する。本実施形態は、受信状態が所定のレベルに悪化した場合に、番組放送予定情報から、受信状態が悪化した番組の番組識別情報を取得し、番組放送予定情報に含まれる放送予定番組識別情報中に、前記悪化番組識別情報に該当するものがあるか検索するデジタルテレビ放送受信機能付携帯端末である。
【００１２】
図１は、本実施形態の概念の一例を示すものである。本実施形態のデジタルテレビ放送受信機能付携帯端末は、デジタル放送を受信、視聴することができる端末装置であり、携帯電話、ＰＨＳ、ＰＤＡ、車載テレビ受信機などが該当する。  まず、デジタルテレビ放送受信機能付携帯端末は、放送・通信衛星を介して、放送局等から送られるデジタルテレビ放送信号を受信する（１）。  次に、デジタルテレビ放送受信機能付携帯端末は、デジタルテレビ放送信号の受信状態を取得する（２）。受信状態が、所定レベル以上の場合には放送される番組の視聴が可能であるが、所定のレベルを下回ると画像や音声に乱れが生じ、視聴が困難となる。  一方、デジタルテレビ放送受信機能付携帯端末は、受信しているデジタルテレビ放送信号から番組放送予定情報を取得する（３）。デジタルテレビ放送信号には、視聴することのできる番組コンテンツ自体のほか、ＥＰＧ（Ｅｌｅｃｔｒｏｎｉｃ  Ｐｒｏｇｒａｍ  Ｇｕｉｄｅ：電子番組ガイド）などのデータも含まれており、これらのデータから番組放送予定情報を取得する。図では、一例として、６月１日と２日の番組放送予定情報の一部を示した。番組放送予定情報には、例えば、放送予定日時や、放送局、放送番組などを識別するための情報などが含まれている。  デジタルテレビ放送信号の受信状態が所定のレベルに悪化した場合に、取得した番組放送予定情報から、受信状態が悪化した番組の番組識別情報である悪化番組識別情報を取得して保持する（４）。今、ダンスの番組を受信し視聴している際に、受信状態が悪化し視聴が不可能となった場面を示した。デジタルテレビ放送受信機能付携帯端末は、番組放送予定情報から受信状態が悪化し視聴が不可能となったダンスの番組を識別する悪化番組識別情報（ＩＤ：５４）を取得して保持する。  次に、番組放送予定情報に含まれる放送予定番組識別情報中に、前記悪化番組識別情報に該当するものがあるか検索する（５）。番組放送予定情報中には、放送予定番組識別情報（ＩＤ：５４）が含まれており、この放送予定番組識別情報で識別されるダンスの番組が、次の日（６月２日）に再放送されることが検索結果として得られることになる。利用者は、再放送されるダンスの番組を視聴、録画等することにより、受信状態が悪化したことで現在視聴ができなかったとしても、見逃すことがない。
【００１３】
<実施形態１：構成>  本実施形態での機能ブロックの一例を図２に示した。  図２に示す本実施形態の「デジタルテレビ放送受信機能付携帯端末」（０２００）は、「チューナ部」（０２０１）と、「受信状態取得部」（０２０２）と、「番組放送予定情報取得部」（０２０３）と、「悪化番組識別情報保持部」（０２０４）と、「検索部」（０２０５）とからなる。
【００１４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１５】
「デジタルテレビ放送受信機能付携帯端末」（０２００）は、デジタルテレビ放送を受信可能な携帯型の端末装置であり、携帯電話、ＰＨＳ、ＰＤＡ、車載テレビ受信機などが該当する。
【００１６】
「チューナ部」（０２０１）は、デジタルテレビ放送信号を受信する。デジタルテレビ放送信号には、視聴することのできる番組コンテンツ自体のほか、ＥＰＧ（Ｅｌｅｃｔｒｏｎｉｃ  Ｐｒｏｇｒａｍ  Ｇｕｉｄｅ：電子番組ガイド）などのデータも含まれている。
【００１７】
「受信状態取得部」（０２０２）は、前記チューナ部（０２０１）での受信状態を取得する。受信状態は、数値や、レベルなどで示され、所定レベル以上の場合には放送される番組の視聴が可能であるが、所定のレベルを下回ると画像や音声に乱れが生じ、視聴が困難となる。
【００１８】
「番組放送予定情報取得部」（０２０３）は、前記チューナ部（０２０１）で受信しているデジタルテレビ放送信号から番組放送予定情報を取得する。受信したデジタルテレビ放送信号に含まれるＥＰＧなどのデータから番組放送予定情報を取得する。「番組放送予定情報」は、これらから放送される予定の番組に関する情報であり、例えば、放送予定日時や、放送局、放送番組などを識別するための情報などが含まれている。
【００１９】
「悪化番組識別情報保持部」（０２０４）は、前記受信状態取得部（０２０２）で取得した受信状態が所定のレベルに悪化した場合に、前記番組放送予定情報取得部（０２０３）で取得した番組放送予定情報から、悪化番組識別情報を取得して保持する。「悪化番組識別情報」は、受信状態が悪化した番組の番組識別情報である。ダンスの番組を受信し視聴している際に、受信状態が悪化し視聴が不可能となった場合には、このダンスの番組を識別する悪化番組識別情報を取得して保持する。悪化番組識別情報で識別される番組は、利用者による視聴が完了していないため、再度視聴等させる必要があるからである。
【００２０】
「検索部」（０２０５）は、前記番組放送予定情報取得部（０２０３）で取得した番組放送予定情報に含まれる放送予定番組識別情報中に、前記悪化番組識別情報に該当するものがあるか検索する。後日の番組放送予定情報に含まれる放送予定番組識別情報中に、視聴できなかった悪化番組識別情報に該当するものが含まれている場合には、その放送予定番組識別情報で識別される番組が再放送等されることが検索結果として得られることになる。この検索結果を表示等して利用者に告知すれば、利用者は再放送される番組を視聴、録画等することができる。あるいは、デジタルテレビ放送受信機能付携帯端末が、自動的に当該番組を録画等してもよい。
【００２１】
<実施形態１：処理の流れ>  図３は、実施形態１におけるデジタルテレビ放送受信機能付携帯端末によるデジタルテレビ放送受信方法の流れの一例を示したものである。まず、デジタルテレビ放送信号を受信するための処理を行う（デジタルテレビ放送信号受信ステップ  Ｓ０３０１）。次に、デジタルテレビ放送信号の受信状態を取得する（受信状態取得ステップ  Ｓ０３０２）。さらに、デジタルテレビ放送信号受信ステップ（Ｓ０３０１）にて受信しているデジタルテレビ放送信号から番組放送予定情報を取得する（番組放送予定情報取得ステップ  Ｓ０３０３）。その次に、受信状態取得ステップ（Ｓ０３０２）にて取得した受信状態が所定のレベルに悪化したか判断する（受信状態判断ステップ  Ｓ０３０４）。ここでの判断結果が、受信状態が所定のレベルに悪化したとの判断結果である場合には、番組放送予定情報取得ステップ（Ｓ０３０３）にて取得した番組放送予定情報から、受信状態が悪化した番組の番組識別情報である悪化番組識別情報を取得して保持する（悪化番組識別情報保持ステップ  Ｓ０３０５）。他方、判断結果が、受信状態が所定のレベルに悪化していないとの判断結果である場合にはそのまま処理を終了するとしてもよい。最後に、番組放送予定情報取得ステップ（Ｓ０３０３）にて取得した番組放送予定情報に含まれる放送予定番組識別情報中に、前記悪化番組識別情報に該当するものがあるか検索する（検索ステップ  Ｓ０３０６）。  以上の処理は、計算機に実行させるためのプログラムで実行することができ、また、このプログラムを計算機によって読み取り可能な記録媒体に記録することができる。（本明細書の全体を通して同様である。）
【００２２】
<実施形態１：効果>  本実施形態は、受信状態が所定のレベルに悪化した場合に、番組放送予定情報から、受信状態が悪化した番組の番組識別情報を取得し、番組放送予定情報に含まれる放送予定番組識別情報中に、前記悪化番組識別情報に該当するものがあるか検索するデジタルテレビ放送受信機能付携帯端末である。受信状態が悪化したことで現在視聴ができなかったとしても、再放送時に利用者に告知等することで当該番組を見逃すことのないよう補助する。携帯端末でデジタルテレビ放送の視聴を行う場合、移動などに伴い、デジタルテレビ放送信号の受信状態が悪化し、番組を視聴することができない場合が頻繁に生じることも想定されるが、後に当該番組を視聴、録画することができ、利便性が高いといえる。
【００２３】
<<実施形態２>>
【００２４】
<実施形態２：概要>  実施形態２について説明する。本実施形態は、番組放送予定情報に含まれる放送予定番組識別情報中に、悪化番組識別情報に該当するものがある場合には、該当する番組識別情報と関連付けてその番組の放送時刻に関する情報を通知することに特徴を有するデジタルテレビ放送受信機能付携帯端末である。
【００２５】
<実施形態２：構成>  本実施形態での機能ブロックの一例を図４に示した。  図４に示す本実施形態の「デジタルテレビ放送受信機能付携帯端末」（０４００）は、「チューナ部」（０４０１）と、「受信状態取得部」（０４０２）と、「番組放送予定情報取得部」（０４０３）と、「悪化番組識別情報保持部」（０４０４）と、「検索部」（０４０５）と、さらに、「通知部」（０４０５）とからなる。
【００２６】
「番組放送予定情報取得部」（０４０３）は、前記チューナ部（０４０１）で受信しているデジタルテレビ放送信号から番組放送予定情報を取得する。取得する番組放送予定情報は、放送予定番組識別情報と関連付けて番組の放送時刻情報を含んでいる。
【００２７】
「通知部」（０４０５）は、前記検索部（０４０５）での検索結果が該当するものがあるとの検索結果である場合には、該当する放送予定番組識別情報と関連付けてその番組の放送時刻に関する情報を通知する。通知は、利用者に対して行われる場合や、外部の電子機器などに対して行われる場合などが該当する。前者の場合には、図５（ａ）で示すように、デジタルテレビ放送受信機能付携帯端末の表示画面等に、番組名やその放送時刻に関する情報を表示して、利用者に注意を喚起する場合などが想定される。また、後者の場合には、図５（ｂ）で示すように、利用者宅の録画装置などに対して番組に関する情報と録画要求が送信され、自動的に当該番組が録画される場合などが想定される。  その他各部の処理は、実施形態１と同様である。
【００２８】
<実施形態２：効果>  本実施形態は、番組放送予定情報に含まれる放送予定番組識別情報中に、悪化番組識別情報に該当するものがある場合には、該当する番組識別情報と関連付けてその番組の放送時刻に関する情報を通知することに特徴を有するデジタルテレビ放送受信機能付携帯端末である。デジタルテレビ放送受信機能付携帯端末の表示画面等に、番組名やその放送時刻に関する情報を表示して視聴を喚起する場合には、当該番組を見逃す危険性を減らすことが期待できる。また、利用者宅の録画装置などに対して番組に関する情報と録画要求が送信される場合には、自動的に当該番組が録画され、利便性が高い。
【００２９】
<<実施形態３>>
【００３０】
<実施形態３：概要>  実施形態３について説明する。本実施形態は、利用者がデジタルテレビ放送を視聴していない場合でも、悪化番組識別情報と関連付けられたチャンネル識別情報で識別されるチャンネルのデジタルテレビ放送信号から間欠的に番組放送予定情報を取得することに特徴を有するデジタルテレビ放送受信機能付携帯端末である。
【００３１】
<実施形態３：構成>  本実施形態での機能ブロックの一例を図６に示した。  図６に示す本実施形態の「デジタルテレビ放送受信機能付携帯端末」（０６００）は、「チューナ部」（０６０１）と、「受信状態取得部」（０６０２）と、「番組放送予定情報取得部」（０６０３）と、「悪化番組識別情報保持部」（０６０４）と、「検索部」（０６０５）とからなり、さらに、番組放送予定情報取得部（０６０３）は「間欠取得手段」（０６０６）を有する。
【００３２】
「番組放送予定情報取得部」（０６０３）は、チューナ部（０６０１）で受信しているデジタルテレビ放送信号から番組放送予定情報を取得する。取得する番組放送予定情報は、番組識別情報と関連付けてその番組を放送するチャンネル識別情報を含む。
【００３３】
「間欠取得手段」（０６０６）は、利用者がデジタルテレビ放送を視聴していない場合でも、悪化番組識別情報保持部（０６０４）で保持された悪化番組識別情報と関連付けられたチャンネル識別情報で識別されるチャンネルのデジタルテレビ放送信号から間欠的に番組放送予定情報を取得する。「デジタルテレビ放送を視聴していない場合」には、デジタルテレビ放送受信機能付携帯端末の表示画面の電源がオフの状態の他、デジタルテレビ放送信号の受信状況が悪化している状態などが含まれる場合がある。間欠取得手段では、テレビ放送受信機能付携帯端末自体の電源がオフの場合には、電源を入れてからチューナ部を起動させることが想定される。
【００３４】
受信状態の悪化により視聴できなかった番組は再度視聴等する必要があり、再放送は同じチャンネルで放送されるのが通常であるため、その悪化番組識別情報と関連付けられたチャンネル識別情報で識別されるチャンネルのデジタルテレビ放送信号を受信し、一定時間経過ごとに逐次番組放送予定情報を取得する。例えば、チャンネル識別情報「０００１」で識別されるチャンネルである放送局ａにて放送された番組の視聴中に受信状態が悪化した場合には、放送局ａのデジタルテレビ放送信号から間欠的に番組放送予定情報を取得する。これにより、視聴できなかった番組の再放送がある場合に、即座に検索することが可能となる。  その他各部の処理については、実施形態１、２と同様である。
【００３５】
<実施形態３：効果>  本実施形態は、利用者がデジタルテレビ放送を視聴していない場合でも、悪化番組識別情報と関連付けられたチャンネル識別情報で識別されるチャンネルのデジタルテレビ放送信号から間欠的に番組放送予定情報を取得することに特徴を有するデジタルテレビ放送受信機能付携帯端末である。利用者は、デジタルテレビ放送受信機能付携帯端末の電源を切っているときであっても、デジタルテレビ放送信号から番組放送予定情報を取得することから、消費電流を最小限に抑えつつ、視聴できなかった番組を検索することが実現できる。充電池などで起動する携帯型の端末装置では、電流の消費が抑えられるため有益である。
【００３６】
<<実施形態４>>
【００３７】
<実施形態４：概要>  実施形態４について説明する。本実施形態は、悪化番組識別情報が複数ある場合には、それぞれに対応した複数のチャンネル識別情報で識別されるチャンネルのデジタルテレビ放送信号から間欠的に番組放送予定情報の取得を行うことに特徴を有するデジタルテレビ放送受信機能付携帯端末である。
【００３８】
<実施形態４：構成>  本実施形態での機能ブロックの一例はすでに図６に示したものと同様である。  図６に示す「デジタルテレビ放送受信機能付携帯端末」（０６００）は、「チューナ部」（０６０１）と、「受信状態取得部」（０６０２）と、「番組放送予定情報取得部」（０６０３）と、「悪化番組識別情報保持部」（０６０４）と、「検索部」（０６０５）とからなり、さらに、番組放送予定情報取得部（０６０３）は「間欠取得手段」（０６０６）を有する。
【００３９】
「間欠取得手段」（０６０６）は、前記悪化番組識別情報が複数ある場合には、それぞれに対応した複数のチャンネル識別情報で識別されるチャンネルのデジタルテレビ放送信号から間欠的に前記取得を行う。図７には、チャンネル識別情報「０００１」で識別されるチャンネルである放送局ａと、チャンネル識別情報「０００２」で識別されるチャンネルである放送局ｂにて放送された番組の視聴中に受信状態が悪化した場面を示した。この場合には例えば、放送局ａのデジタルテレビ放送信号から番組放送予定情報を取得し、次に放送局ｂのデジタルテレビ放送信号から番組放送予定情報を取得するというプロセスを交互に行う。放送局ａのデジタルテレビ放送信号から取得した番組放送予定情報によると、視聴できなかった放送局aのダンスの番組は６月２日に再放送が予定されていることが分かる。一方、放送局ｂの方の視聴できなかったサッカーの番組の再放送は現段階では確認できないため、引き続き放送局ｂのデジタルテレビ放送信号から番組放送予定情報を取得して検索を実行する。このように、視聴できなかった番組が複数チャンネルに渡ってある場合でも、洩れなく検索することが可能となる。  その他各部の処理については、実施形態３と同様である。
【００４０】
<実施形態４：効果>  本実施形態は、悪化番組識別情報が複数ある場合には、それぞれに対応した複数のチャンネル識別情報で識別されるチャンネルのデジタルテレビ放送信号から間欠的に番組放送予定情報の取得を行うことに特徴を有するデジタルテレビ放送受信機能付携帯端末である。利用者が自身で視聴できなかった番組を記憶にとどめておこうとすると、その数が増えるとともに記憶があやふやになり、視聴し損ねる危険性が高まるが、本実施形態のデジタルテレビ放送受信機能付携帯端末によれば、視聴できなかった番組が複数チャンネルに渡ってある場合でも、洩れなく検索することが可能となり、便利である。
【００４１】
<<実施形態５>>
【００４２】
<実施形態５：概要>  実施形態５について説明する。本実施形態は、受信状態が所定のレベルに悪化しない場合に、番組放送予定情報から良好番組識別情報を取得し、悪化番組識別情報中に良好番組識別情報に該当するものがある場合に、保持された悪化番組識別情報を消去することに特徴を有するデジタルテレビ放送受信機能付携帯端末である。
【００４３】
<実施形態５：構成>  本実施形態での機能ブロックの一例を図８に示す。  図８に示す本実施形態の「デジタルテレビ放送受信機能付携帯端末」（０８００）は、「チューナ部」（０８０１）と、「受信状態取得部」（０８０２）と、「番組放送予定情報取得部」（０８０３）と、「悪化番組識別情報保持部」（０８０４）と、「検索部」（０８０５）と、さらに、「良好番組識別情報取得部」（０８０６）と、「第二検索部」（０８０７）とからなり、悪化番組識別情報保持部（０８０４）は「消去手段」（０８０８）を有する。
【００４４】
「良好番組識別情報取得部」（０８０６）は、受信状態取得部（０８０２）で取得した受信状態が所定のレベルに悪化しない場合に、前記番組放送予定情報取得部（０８０３）で取得した番組放送予定情報から、良好番組識別情報を取得する。「良好番組識別情報」は、受信状態が良好である番組の番組識別情報である。良好番組識別情報の取得は、原則として番組終了時点で行う。番組を最後まで視聴できた場合には、その番組の番組識別情報を良好番組識別情報として取得する。一方、受信状態が悪化しない状況でチャンネルの切り替えや、デジタルテレビ放送受信機能付携帯端末の電源を切る行為があった場合には、例外的にその番組の番組識別情報を良好番組識別情報として取得する。途中で視聴するのを中止しているため、その番組は利用者にとって視聴するに値しない番組であったとみなすことができ、後で説明する消去手段（０８０８）にて、良好番組識別情報に該当する悪化番組識別情報を消去する。
【００４５】
「第二検索部」（０８０７）は、前記悪化番組識別情報保持部（０８０４）に保持されている悪化番組識別情報中に前記良好番組識別情報取得部（０８０６）が取得した良好番組識別情報に該当するものがあるか検索する。悪化番組識別情報中に、良好番組識別情報と合致する番組識別情報があるかどうかを検索する。悪化番組識別情報中に、良好番組識別情報と合致する番組識別情報がある場合には、その番組は受信状態が良好なときに視聴を完了した、あるいは、視聴する必要がないという状態を表す。逆に、悪化番組識別情報中に、良好番組識別情報と合致する番組識別情報がない場合には、悪化番組識別情報で識別される番組は全て、これから視聴等するために、再放送されるのを待つ状態である。
【００４６】
「消去手段」（０８０８）は、前記第二検索部（０８０７）での検索結果が該当するものがあるとの検索結果である場合に、保持された悪化番組識別情報を消去する。悪化番組識別情報中に、良好番組識別情報と合致する番組識別情報がある場合には、その番組は受信状態が良好なときに視聴を完了した、あるいは、部分的に視聴を行い、もう視聴する必要がないという状態を表す。したがって、不要な悪化番組識別情報を消去することで、より迅速な検索処理を可能とする。  その他各部の処理は、実施形態１から４と同様である。
【００４７】
<実施形態５：処理の流れ>  図９は、実施形態５におけるデジタルテレビ放送受信機能付携帯端末によるデジタルテレビ放送受信方法の流れの一例を示したものである。まず、デジタルテレビ放送信号を受信し（デジタルテレビ放送信号受信ステップ）、その受信状態を取得し（受信状態取得ステップ）、さらに、デジタルテレビ放送信号受信ステップにて受信しているデジタルテレビ放送信号から番組放送予定情報を取得する（番組放送予定情報取得ステップ）。これについては、実施形態１と同様である。  続いて、受信状態のレベルを判断する（受信状態判断ステップ  Ｓ０９０１）。受信状態判断ステップ（Ｓ０９０１）にて、受信状態が所定のレベルに悪化したとの判断結果の場合に、取得した番組放送予定情報から、受信状態が悪化した番組の番組識別情報である悪化番組識別情報を取得して保持する（悪化番組識別情報保持ステップ  Ｓ０９０２）。さらに、取得した番組放送予定情報に含まれる放送予定番組識別情報中に、前記悪化番組識別情報に該当するものがあるか検索する（検索ステップ  Ｓ０９０３）。一方、受信状態判断ステップ（Ｓ０９０１）にて、受信状態が所定のレベルに悪化しないとの判断結果の場合に、取得した番組放送予定情報から、受信状態が良好である番組の番組識別情報である良好番組識別情報を取得する（良好番組識別情報取ステップ  Ｓ０９０４）。さらに、悪化番組識別情報保持ステップ（Ｓ０９０２）にて保持された悪化番組識別情報中に前記良好番組識別情報取得ステップ（Ｓ０９０４）にて取得した良好番組識別情報に該当するものがあるか検索する（第二検索ステップ  Ｓ０９０５）。第二検索ステップ（Ｓ０９０５）での検索結果が該当するものがないとの検索結果である場合には、検索ステップ（Ｓ０９０３）に戻る。最後に、第二検索ステップ（Ｓ０９０５）での検索結果が該当するものがあるとの検索結果である場合に、保持された悪化番組識別情報を消去する（消去ステップ  Ｓ０９０６）。
【００４８】
<実施形態５：効果>  本実施形態は、受信状態が所定のレベルに悪化しない場合に、番組放送予定情報から良好番組識別情報を取得し、悪化番組識別情報中に良好番組識別情報に該当するものがある場合に、保持された悪化番組識別情報を消去することに特徴を有するデジタルテレビ放送受信機能付携帯端末である。悪化番組識別情報中に、良好番組識別情報と合致する番組識別情報がある場合には、その番組は受信状態が良好なときに視聴を完了した、あるいは、部分的に視聴を行い、もう視聴する必要がないという状態を表すものと考えることができる。したがって、不要な悪化番組識別情報を消去することで、有限な記憶装置を有効に使いつつ、より迅速な検索処理を可能とする。
【００４９】
<<実施形態６>>
【００５０】
<実施形態６：概要>  実施形態６について説明する。本実施形態は、検索対象となった番組放送予定情報に含まれる全ての番組の放送があった後の時刻以降に次の番組放送予定情報を取得することに特徴を有するデジタルテレビ放送受信機能付携帯端末である。
【００５１】
<実施形態６：構成>  本実施形態での機能ブロックの一例を図１０に示す。  図１０に示す本実施形態の「デジタルテレビ放送受信機能付携帯端末」（１０００）は、「チューナ部」（１００１）と、「受信状態取得部」（１００２）と、「番組放送予定情報取得部」（１００３）と、「悪化番組識別情報保持部」（１００４）と、「検索部」（１００５）とからなり、さらに、番組放送予定情報取得部（１００３）は「間欠取得手段」（１００６）を有し、間欠取得手段（１００６）は「次取得器」（１００７）を有する。
【００５２】
「次取得器」（１００７）は、前記検索部（１００５）での検索対象となった番組放送予定情報に含まれる全ての番組の放送があった後の時刻以降に次の番組放送予定情報を取得する。「全ての番組の放送があった」とは、検索対象となった番組放送予定情報に含まれる最終番組の開始から終了までをいう。したがって、例えば、全ての番組の放送があった後の時刻以降とは、最終番組が２１時から２２時の時間帯に放送されている場合には、２１時以降に、２２時以降に放送開始される番組の番組放送予定情報を取得することができる。これは、２２時、あるいは、それ以降に番組放送予定情報を取得することを妨げるものではない。  その他各部の処理は、実施形態３と同様である。
【００５３】
<実施形態６：処理の流れ>  図１１は、実施形態６におけるデジタルテレビ放送受信機能付携帯端末によるデジタルテレビ放送受信方法の流れの一例を示したものである。まず、デジタルテレビ放送信号を受信し（デジタルテレビ放送信号受信ステップ）、その受信状態を取得し（受信状態取得ステップ）、さらに、デジタルテレビ放送信号受信ステップにて受信しているデジタルテレビ放送信号からチャンネル識別情報を含む番組放送予定情報を取得する（番組放送予定情報取得ステップ）。これについては、実施形態１、５と同様である。  続いて、受信状態が所定のレベルに悪化した場合に、取得した番組放送予定情報から、受信状態が悪化した番組の番組識別情報である悪化番組識別情報を取得して保持する（悪化番組識別情報保持ステップ  Ｓ１１０１）。次に、取得した番組放送予定情報に含まれる放送予定番組識別情報中に、前記悪化番組識別情報に該当するものがあるか検索する（検索ステップ  Ｓ１１０２）。さらに、検索ステップ（Ｓ１１０２）での検索対象となった番組放送予定情報に含まれる全ての番組の放送があった後の時刻が経過したか判断する（判断ステップ  Ｓ１１０３）。全ての番組の放送があった場合には、その後の時刻以降に次の番組放送予定情報を取得する（次取得ステップ  Ｓ１１０４）。一方、全ての番組の放送がされていない場合には、番組放送予定情報を取得しないで処理を終了する。
【００５４】
<実施形態６：効果>  本実施形態は、検索対象となった番組放送予定情報に含まれる全ての番組の放送があった後の時刻以降に次の番組放送予定情報を取得することに特徴を有するデジタルテレビ放送受信機能付携帯端末である。番組放送予定情報を、それに含まれる全ての番組の放送があった後でないと新たに取得することができないような態様とすることで、同じ番組放送予定情報を複数回取得し保持する無駄を省き、デジタルテレビ放送受信機能付携帯端末の処理負荷を軽減できる。
【図面の簡単な説明】
【００５５】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２における通知方法の一例を示した図
【図６】実施形態３を説明するための機能ブロック図
【図７】実施形態４を説明するための概念図
【図８】実施形態５を説明するための機能ブロック図
【図９】実施形態５の処理の流れを説明する図
【図１０】実施形態６を説明するための機能ブロック図
【図１１】実施形態６の処理の流れを説明する図
【符号の説明】
【００５６】
０２００    デジタルテレビ放送受信機能付携帯端末
０２０１    チューナ部
０２０２    受信状態取得部
０２０３    番組放送予定情報取得部
０２０４    悪化番組識別情報保持部
０２０５    検索部
【図１】
2006013995.tif 000003
【図２】
2006013995.tif 000004
【図３】
2006013995.tif 000005
【図４】
2006013995.tif 000006
【図５】
2006013995.tif 000007
【図６】
2006013995.tif 000008
【図７】
2006013995.tif 000009
【図８】
2006013995.tif 000010
【図９】
2006013995.tif 000011
【図１０】
2006013995.tif 000012
【図１１】
2006013995.tif 000013